(57)【要約】【課題】使用時の周囲環境にかかわらず、所定の周波数帯域を、常時カバーする小型のアンテナ装置を提供する。【解決手段】アンテナ装置１は、絶縁性基板２の第１の面２ａに配置された、第１の折り返しアンテナ３、第１の配線５及び給電部９と、絶縁性基板２の第２の面２ｂに配置された、第２の折り返しアンテナ４及び第２の配線６と、絶縁性基板２を貫通するビアホール７と、を備え、第１の折り返しアンテナ３は給電部９を介して第１の配線５と接続され、第２の折り返しアンテナ４は第２の配線６と接続され、第１の配線５はビアホール７を介して第２の配線６と接続され、第１の折り返しアンテナ３は、少なくとも２本の互いに平行な第１の平行線路部３ｎを有し、第２の折り返しアンテナ４は、少なくとも２本の互いに平行な第２の平行線路部４ｎを有し、第１の平行線路部３ｎのそれぞれは、第２の平行線路部４ｎの全部と平面視で交差する。【選択図】図１
2019169872.tif 000002
【特許請求の範囲】
【請求項１】
絶縁性基板と、
前記絶縁性基板の第１の面に配置された、第１の折り返しアンテナ、第１の配線、及び給電部と、
前記絶縁性基板の前記第１の面と対向する第２の面に配置された、第２の折り返しアンテナ、及び第２の配線と、
前記絶縁性基板の前記第１の面から前記第２の面に渡って貫通するビアホールと、を備え、
前記第１の折り返しアンテナは前記給電部を介して前記第１の配線と接続され、前記第２の折り返しアンテナは前記第２の配線と接続され、前記第１の配線は前記ビアホールを介して前記第２の配線と接続され、
前記第１の折り返しアンテナは、少なくとも２本の互いに平行な第１の平行線路部を有し、前記第２の折り返しアンテナは、少なくとも２本の互いに平行な第２の平行線路部を有し、前記第１の平行線路部のそれぞれは、前記第２の平行線路部の全部と平面視で交差する、
アンテナ装置。
【請求項２】
前記第１の折り返しアンテナの前記第１の平行線路部のそれぞれは、前記第２の折り返しアンテナの前記第２の平行線路部の全部と平面視で直交する、
請求項１に記載のアンテナ装置。
【請求項３】
前記第１の折り返しアンテナ及び前記第２の折り返しアンテナは、いずれもミアンダ形状を有する、請求項１又は２に記載のアンテナ装置。
【請求項４】
前記第１の折り返しアンテナ及び前記第２の折り返しアンテナは、互いに相似形であり、平面視で互いに９０度回転して配置されてなる、請求項３に記載のアンテナ装置。
【発明の詳細な説明】
【技術分野】
【０００１】
本発明は無線通信用のアンテナ装置に関し、特に、携帯用の移動通信機器に搭載される、周波数帯域を広帯域化した小型のアンテナ装置に関する。
【背景技術】
【０００２】
携帯用の移動通信機器の小型化が進展している。これに伴い、それらの機器に搭載されるアンテナ装置の小型化が推進され、例えば、放射エレメントがミアンダ形状に形成されるミアンダアンテナを積層して小型化する技術が提案されている（特許文献１）。
【０００３】
このような小型化されたアンテナ装置の電気特性は、使用時の周囲環境の影響を大きく受ける。例えば、人体等の大容量の誘電体、金属等による電波の反射、充電器などから放射される磁界、などの影響により、周波数帯域が狭くなる、あるいは周波数帯域の中心周波数がずれるなどの電気特性の変動が生じる。その結果、当該アンテナ装置が搭載された移動通信機器の動作中においても、周囲環境によって要求性能を発揮できない不具合が生じることがある。
【先行技術文献】
【特許文献】
【０００４】
【特許文献１】特開２００９−１８２７８６号公報
【発明の概要】
【発明が解決しようとする課題】
【０００５】
本発明はこのような課題に鑑みてなされたものであり、その目的とするところは、使用時の周囲環境にかかわらず、当該アンテナ装置が搭載された移動通信機器が要求する周波数帯域を、常時カバーする小型のアンテナ装置を提供することにある。
【課題を解決するための手段】
【０００６】
本発明の第１の態様のアンテナ装置によれば、絶縁性基板と、絶縁性基板の第１の面に配置された、第１の折り返しアンテナ、第１の配線、及び給電部と、絶縁性基板の第１の面と対向する第２の面に配置された、第２の折り返しアンテナ、及び第２の配線と、絶縁性基板の第１の面から第２の面に渡って貫通するビアホールと、を備え、第１の折り返しアンテナは給電部を介して第１の配線と接続され、第２の折り返しアンテナは第２の配線と接続され、第１の配線はビアホールを介して第２の配線と接続され、第１の折り返しアンテナは、少なくとも２本の互いに平行な第１の平行線路部を有し、第２の折り返しアンテナは、少なくとも２本の互いに平行な第２の平行線路部を有し、第１の平行線路部のそれぞれは、第２の平行線路部の全部と平面視で交差する。
【０００７】
本発明の第２の態様によれば、上記第１の態様において、第１の折り返しアンテナの第１の平行線路部のそれぞれは、第２の折り返しアンテナの第２の平行線路部の全部と平面視で直交する。
【０００８】
本発明の第３の態様によれば、上記第１の態様又は上記第２の態様において、第１の折り返しアンテナ及び第２の折り返しアンテナは、いずれもミアンダ形状を有する。
【０００９】
本発明の第４の態様によれば、上記第３の態様において、第１の折り返しアンテナ及び第２の折り返しアンテナは、互いに相似形であり、平面視で互いに９０度回転して配置されてなる。
【発明の効果】
【００１０】
本発明のアンテナ装置によれば、使用時の周囲環境にかかわらず、当該アンテナ装置が搭載された移動通信機器が要求する周波数帯域を、常時カバーする小型のアンテナ装置を提供するという効果を奏することができる。
【図面の簡単な説明】
【００１１】
【図１】本発明の第１の実施形態の鳥瞰図。
【図２】本発明の第１の実施形態の平面図。
【図３】図２の線分Ａ−Ａ´の断面図。
【図４】図２の線分Ｂ−Ｂ´の断面図。
【図５】本発明の第１の実施形態の変型例の断面図。
【図６】本発明のアンテナの配置の変型例１の平面図。
【図７】本発明のアンテナの配置の変型例２の平面図。
【図８】本発明の第２の実施形態の鳥瞰図。
【図９】本発明の第２の実施形態の平面図。
【発明を実施するための形態】
【００１２】
以下、図面に基づき本発明の第１の実施形態について説明する。
【００１３】
図１は、本発明のアンテナ装置１の第１の実施形態の鳥瞰図である。絶縁性基板２の第１の面２ａ（図３参照）には、第１の折り返しアンテナ３、第１の配線５、及び給電部９が配置され、第１の折り返しアンテナ３は給電部９を介して第１の配線５と接続されている。
【００１４】
絶縁性基板２の第１の面２ａと対向する第２の面２ｂ（図３参照）には、第２の折り返しアンテナ４及び第２の配線６が配置されている。なお、第２の折り返しアンテナ４は第２の配線６と接続される。又、絶縁性基板２の第１の面２ａから第２の面２ｂに渡って貫通するビアホール７が配置され、第１の配線５はビアホール７を介して第２の配線６と電気的に接続されている。
【００１５】
図２は、図１の第１の折り返しアンテナ３及び第２の折り返しアンテナ４が配置された領域を、拡大した平面図である。第１の折り返しアンテナ３は、６本の互いに平行な第１の平行線路部（図２の３−１〜３−６、以下３ｎと記載）を有するミアンダ形状からなり、第２の折り返しアンテナ４は、５本の互いに平行な第２の平行線路部（図２の４−１〜４−５、以下４ｎと記載）を有するミアンダ形状からなる。
【００１６】
それぞれがミアンダ形状からなる第１の折り返しアンテナ３及び第２の折り返しアンテナ４は、平面視で互いに直交するように配置され、第１の折り返しアンテナ３の６本の第１の平行線路部３ｎのそれぞれは、第２の折り返しアンテナ４の５本の第２の平行線路部４ｎの全部と平面視で直交するように交差している。
【００１７】
又、第１の折り返しアンテナ３の６本の第１の平行線路部３ｎのうち給電部９に最も近い第１の平行線路部３−１が、第２の折り返しアンテナ４が第２の配線６に接続される部分（近端側）と平面視で重なるように配置されている。そして、第２の折り返しアンテナ４の５本の第２の平行線路部４ｎの長さは、第１の折り返しアンテナ３全体の幅より長いため、第２の折り返しアンテナ４の第２の平行線路部４ｎの遠端側では、第２の折り返しアンテナ４と絶縁性基板２を介して対向する位置に第１の折り返しアンテナ３は配置されていない。
【００１８】
図３は、図２に示された線分Ａ−Ａ´の断面図である。第１の面２ａに配置された第１の折り返しアンテナ３の第１の平行線路部３ｎのうちの給電部９に最も近い第１の平行線路部３−１と、第２の面２ｂに配置された第２の折り返しアンテナ４の第２の平行線路部４ｎのそれぞれの端部（図中の４−１〜４−５）とが、絶縁性基板２を挟んで互いに対向している。
【００１９】
図４は、図２に示された線分Ｂ−Ｂ´の断面図である。第１の折り返しアンテナ３の第１の平行線路部３ｎのうちの一つの第１の平行線路部３−３と、第２の折り返しアンテナ４の５本の第２の平行線路部４ｎのそれぞれ（図中の４−１〜４−５）とが、絶縁性基板２を挟んで互いに対向している。ただし、第１の折り返しアンテナ３及び第２の折り返しアンテナ４は、絶縁性基板２によって電気的に分離され、直接接続されてはいない。
【００２０】
又、第１の面２ａには、更に第１の配線５が配置され、給電部９は、第１の折り返しアンテナ３及び第１の配線５のそれぞれに、例えば半田層１１で接続されている。給電部９は、第１の折り返しアンテナ３に給電する給電回路を備える電子回路モジュールであってもよい。
【００２１】
一方、第２の面２ｂには、更に第２の配線６が配置され、これは第２の折り返しアンテナ４と直接接続されている。第１の配線５は、絶縁性基板２の第１の面２ａから第２の面２ｂまで貫通するビアホール７に充填された導電物を介して第２の配線６と電気的に接続されている。
【００２２】
図５に、本発明の第１の実施形態の変型例を示す。この変型例は、絶縁性基板２の第２の面２ｂ、並びに第２の面の２ｂ第２の折り返しアンテナ４及び第２の配線６を覆う絶縁性基板１２を更に備える。このように、第２の折り返しアンテナ４は、複数の絶縁性基板が積層された多層回路基板の中間層に配置されていてもよい。
【００２３】
図６に、本発明の第１の実施形態のアンテナの配置の変型例１を示す。ここで、第２の折り返しアンテナ４ａの平面形状は、第１の折り返しアンテナ３ａの平面形状と相似形であり、互いに時計回りに９０度回転させた形状とほぼ同一となっている。
【００２４】
図７に、本発明の第１の実施形態のアンテナの配置の変型例２を示す。図６に記載のアンテナの配置から第１の折り返しアンテナ３ａを矢印方向にずらした配置となっている。このように、第１の折り返しアンテナ３ｂの複数の第１の平行線路部（符号は図示せず）の一部が、第２の折り返しアンテナ４ｂの第２の平行線路部（符号は図示せず）のいずれとも重ならない配置であってもよい。
【００２５】
図８は、本発明の第２の実施形態のアンテナ装置２１の鳥瞰図である。図１に記載のアンテナ装置１と対比すると、第１の折り返しアンテナ２３の平面形状、給電部２９が配置された位置、及び第１の折り返しアンテナ２３が給電部２９を介して第１の配線２５と接続される位置が異なる。その他の部分は、図１に記載のアンテナ装置１と同一であるので説明を省略する。
【００２６】
図９は、図８の第１の折り返しアンテナ２３及び第２の折り返しアンテナ２４が配置された領域を、拡大した平面図である。第１の折り返しアンテナ２３は、少なくとも６本の互いに平行な第１の平行線路部（符号は図示せず）を有するミアンダ形状からなる。第１の折り返しアンテナ２３の形状と、図２に記載の第１の折り返しアンテナ３の形状とは、第１の平行線路部３ｎと平行な線分に対して鏡面対称となっている。
【００２７】
一方、第２の折り返しアンテナ２４については、図２に記載のアンテナ装置１と平面形状及び配置された位置が同一である。
【００２８】
又、第１の折り返しアンテナ２３の６本の第１の平行線路部のうち、給電部２９に最も近い第１の平行線路部が、第２の折り返しアンテナ２４が第２の配線２６に接続される部分（近端側）から最も離れた遠端側と平面視で重なるように配置されている。そして、第２の折り返しアンテナ２４の第２の平行線路部（符号図示せず）の近端側では、第２の折り返しアンテナ２４と絶縁性基板２を介して対向する位置に第１の折り返しアンテナ２３は配置されていない。
【００２９】
なお、上記のように第２の実施形態の第１の折り返しアンテナ２３の配置位置は第１の実施形態の第１の折り返しアンテナ３の配置位置とは異なるものの、第１の折り返しアンテナ２３の６本の第１の平行線路部のそれぞれが、第２の折り返しアンテナ２４の５本の第２の平行線路部の全部と平面視で重なる点では第１の実施形態と同一であり、それらが重なる面積もほぼ同じであり、それらの電気特性もほぼ同一となる。
【符号の説明】
【００３０】
１、２１    アンテナ装置
２、１２、２２  絶縁性基板
２ａ  第１の面
２ｂ  第２の面
３、３ａ、３ｂ、２３  第１の折り返しアンテナ
３ｎ、３−１、３−２、３−３、３−４、３−５、３−６  第１の平行線路部
４、４ａ、４ｂ、２４  第２の折り返しアンテナ
４ｎ、４−１、４−２、４−３、４−４、４−５  第２の平行線路部
５、２５  第１の配線
６、２６  第２の配線
７、２７  ビアホール
９、２９    給電部
１１    半田層
【図１】
2019169872.tif 000003
【図２】
2019169872.tif 000004
【図３】
2019169872.tif 000005
【図４】
2019169872.tif 000006
【図５】
2019169872.tif 000007
【図６】
2019169872.tif 000008
【図７】
2019169872.tif 000009
【図８】
2019169872.tif 000010
【図９】
2019169872.tif 000011